(57)【特許請求の範囲】
【請求項１】
筒状の本体の軸方向の一端に軸方向が本体の軸方向に対して傾いたアタッチメントの軸方向の一端を着脱自在に取付け、該アタッチメントの本体に取付けた時の向きをアタッチメントの軸廻り方向に変更可能とし、往復回動する歯清掃用の作用部をアタッチメントの軸方向の本体と反対側の端部からアタッチメントの軸方向に対して交差する方向に突設し、本体にモータ及びモータの駆動により往復直線運動する駆動部を設け、アタッチメントに、アタッチメントを本体に取付けた時に駆動部に着脱自在に連結されて、駆動部の往復直線運動を作用部の往復回動運動に変換する伝達機構部を設け、前記駆動部を、モータの駆動により本体の軸方向に往復直線運動する往復駆動体と、往復駆動体のアタッチメント側の端部からアタッチメントの軸方向と平行な方向に突出した接続部とで構成し、該接続部に前記一端側が作用部に連結された伝達機構部の他端側を着脱自在に連結して成ることを特徴とする歯清掃装置。
【請求項２】
接続部が合成樹脂製であることを特徴とする請求項１に記載の歯清掃装置。
【請求項３】
接続部は往復駆動体と別体のものであって、該接続部を往復駆動体のアタッチメント側の端部に本体の軸回り方向に回動不能に取り付けてあることを特徴とする請求項１又は請求項２に記載の歯清掃装置。
【請求項４】
本体の外面にモータの駆動を制御する操作スイッチとして回動自在の操作スイッチを設け、該操作スイッチの外周面の周方向の複数箇所に操作スイッチを回動操作するための操作部を設けて成ることを特徴とする請求項１〜３のいずれかに記載の歯清掃装置。
【発明の詳細な説明】
【技術分野】
【０００１】
本発明は歯清掃装置に関する。
【背景技術】
【０００２】
従来から歯の表面についた歯垢やステイン等を除去する電動歯ブラシ等の歯清掃装置が知られており、この種の歯清掃装置には例えば特許文献１に示すものがある。
【０００３】
特許文献１の歯清掃装置は、モータを内装した筒状の本体と、本体の軸方向の先端から本体の軸方向に対して所定角度傾いた方向に突出する着脱自在なアタッチメントを備えており、アタッチメントの軸方向の先端部には研磨ロータからなる作用部を設けている。本体にはモータを駆動することでアタッチメントの軸回り方向に回転駆動する駆動部を設けてあり、またアタッチメントにはアタッチメントを本体に取付けた際に駆動部に着脱自在に連結されて、駆動部の回転運動を作用部の回転運動に変換する伝達機構部を設けてあり、モータを駆動することで駆動部及び伝達機構部を介して作用部を一方向に回転駆動して該作用部により歯を磨けるようになっている。またこの歯清掃装置のアタッチメントは軸廻りに１８０°回動した状態でも本体に取付けられるようになっており、これにより使用者は例えば歯の表面を磨いた後に作用部を備えたアタッチメントの取付け方向を反対方向に変更して歯の裏面を磨く等できて、作用部を容易且つ確実に歯に当てられるようになっている。
【０００４】
しかし上記歯清掃装置の作用部は一方向にのみ回転するので、作用部を歯の面に接触した際には作用部には歯の面との摩擦力により常に一方向に全体を動かす力が加わり、使用者はこれに抗する力を常に作用部に加えなければならず、このため作用部を狙った位置に当て続け難いという問題がある。
【０００５】
また駆動部は軸方向に回転駆動するものであるので、駆動部の駆動力を伝達機構部に効率良く伝達するには、例えば駆動部の接続部を断面非円形にして駆動部の接続部を回動不能として伝達機構部に連結する必要がある。しかしこのように駆動部の接続部を断面非円形とした場合、駆動部の回転を停止した状態の駆動部の接続部の向きは決まった方向を向かないため、モータを停止してアタッチメントの向きを変更して本体に取付ける場合に、接続部に伝達機構部を連結するには、断面非円形の駆動部に伝達機構部を合致させて係合する必要があり面倒である。またこのように伝達機構部を駆動部に合致させて連結したとしても、モータの停止のタイミングにより駆動部の向きが変わるため、アタッチメントの向きが所望の向きとならない場合があり、この場合にはアタッチメントを回動して所望の向きとする必要があり、この点でも面倒である。
【０００６】
また特許文献２には軸廻りに往復回動運動する作用部を有した歯清掃装置が開示されているが、この歯清掃装置の作用部を設けた柄部の向きは変更することすらできず、作用部を歯の面に当て難い場合がある。
【特許文献１】実用新案登録第３０９８０５５号公報
【特許文献２】特表平１１−５１３９２２号公報
【発明の開示】
【発明が解決しようとする課題】
【０００７】
本発明は上記従来の問題点に鑑みて発明したものであって、作用部を狙った位置に容易に当てることができ、しかも作用部が歯に対して当て易い向きとなるようにアタッチメントの向きを容易に変更できる歯清掃装置を提供することを課題とするものである。
【課題を解決するための手段】
【０００８】
上記課題を解決するために本発明に係る歯清掃装置は、筒状の本体１の軸方向の一端に軸方向が本体１の軸方向に対して傾いたアタッチメント３の軸方向の一端を着脱自在に取付け、該アタッチメント３の本体１に取付けた時の向きをアタッチメント３の軸廻り方向に変更可能とし、往復回動する歯清掃用の作用部２をアタッチメント３の軸方向の本体１と反対側の端部からアタッチメント３の軸方向に対して交差する方向に突設し、本体１にモータ１４及びモータ１４の駆動により往復直線運動する駆動部１５を設け、アタッチメント３に、アタッチメント３を本体１に取付けた時に駆動部１５に着脱自在に連結されて、駆動部１５の往復直線運動を作用部２の往復回動運動に変換する伝達機構部２５を設け、前記駆動部１５を、モータ１４の駆動により本体１の軸方向に往復直線運動する往復駆動体１７と、往復駆動体１７のアタッチメント３側の端部からアタッチメント３の軸方向と平行な方向に突出した接続部１８とで構成し、該接続部１８に前記一端側が作用部２に連結された伝達機構部２５の他端側を着脱自在に連結して成ることを特徴とするものである。
【０００９】
上記作用部２は往復回動するものなので、作用部２を狙った位置に容易に当て続けることができる。またアタッチメント３の向きを変更して作用部２を歯に対して当て易い向きにできる。また駆動部１５は本体１の軸方向に往復直線運動するものであって、該駆動部１５の駆動力を伝達機構部２５に伝達するものであるので、駆動部１５に対して伝達機構部２５を回動不能とする必要がなくて、例えば断面円形の孔部に断面円形の部位を嵌め込んで両者を連結しても、駆動部１５の駆動力を伝達機構部２５に効率良く伝達することができ、またこのように断面円形の孔部に断面円形の部位を嵌め込んで両者を連結した場合には、モータ１４がどのようなタイミングでＯＦＦにされたとしても、伝達機構部２５が着脱自在に連結される駆動部１５の軸回り方向における向きを同じ向きとすることができ、アタッチメント３を向きを変更して本体１に取付ける際には、駆動部１５の向きを気にすることなく作用部２を所望の向きに向けたアタッチメント３を本体１に取付けるだけで良く、アタッチメント３の付替えが容易になる。
【００１１】
また、駆動部１５は本体１の軸方向に往復駆動するので、駆動部１５をアタッチメント３の軸方向に往復運動するものと比較して、把持部となる本体１の外形を小さくできて握り易くできる。また伝達機構部２５に着脱自在に連結される接続部１８の軸方向はアタッチメント３の軸方向と平行であるので、アタッチメント３を本体１に取付ける際のアタッチメント３の移動方向をアタッチメント３の取付け向きに関係なくアタッチメント３の軸方向である同一の方向とすることができ、これによりアタッチメント３の向きをモータ１４のＯＦＦのタイミングに関わらず好みの方向に変更でき、尚且つ連結部２４と被連結部２６の連結部分を簡単な構成にできる。
【００１２】
また接続部１８が合成樹脂製であることも好ましい。接続部１８に歯磨き時や水洗いによる清掃時等に水や歯磨き剤水溶液がかかったりしても腐食が起こらず、清潔にできる。
【００１３】
また接続部１８は往復駆動体１７と別体のものであって、該接続部１８を往復駆動体１７のアタッチメント３側の端部に本体１の軸回り方向に回動不能に取り付けてあることも好ましい。本体１を落として駆動部１５に衝撃が加わる等した際に往復駆動体１７に対して接続部１８の向きが変わることを防止できる。
【００１４】
また本体１の外面にモータ１４の駆動を制御する操作スイッチ３６として回動自在の操作スイッチ３６を設け、該操作スイッチ３６の外周面の周方向の複数箇所に操作スイッチ３６を回動操作するための操作部３７を設けることも好ましい。本体１の握り方を変更しても指に近い操作部３７を操作して操作スイッチ３６を容易に操作できる。
【発明の効果】
【００１５】
本発明では、作用部を狙った位置に容易に当てることができ、しかも作用部が歯に対して当て易い向きとなるようにアタッチメントの向きを容易に変更できる。
【発明を実施するための最良の形態】
【００１６】
以下、本発明を添付図面に示す実施形態に基いて説明する。図１に示す本例の歯清掃装置は、筒状の本体１と、筒状の本体１の軸方向の一端から突出して先端部に歯清掃用の作用部２を備えたアタッチメント３を備えており、アタッチメント３の軸方向は本体１の軸方向に対して所定角度（図示例では約１０°）傾斜している。
【００１７】
アタッチメント３は筒状の柄部４で主体を構成してあり、柄部４の軸方向の一端部に形成した接続筒部５を本体１の軸方向の一端部に形成した接続孔部６に抜き挿し自在に嵌入することで、本体１に対して着脱自在に取付可能としている。接続孔部６は本体１の軸方向に対して所定角度（約１０°）傾斜した方向に穿設してあり、これにより本体１に取付けたアタッチメント３の軸方向が本体１の軸方向に対して所定角度傾斜するようにしている。また接続筒部５を接続孔部６から引き抜いてアタッチメント３の向きを変えて再び本体１に取付けることで、本体１に取付けた時のアタッチメント３の向きをアタッチメント３の軸方向を前記所定の角度としたままアタッチメント３の軸廻り方向に変更できるようにしている。
【００１８】
アタッチメント３は図１（ａ）に示す向きと、アタッチメント３をその軸回り方向に１８０°回動させた図２に示す向きの２方向に変更可能としてあり、各々の向きでアタッチメント３を取付けた際にはアタッチメント３の接続筒部５はアタッチメント３の軸回り方向に回動不能となるよう切欠きを嵌合させる等して接続孔部６に固定されている。なお本例ではアタッチメント３の向きを２方向に変更可能としたが、複数方向に変更可能としてあれば良い。またアタッチメント３を軸回りに１８０°反転させた向きに変更できるようにしたが、アタッチメント３は６０°等、１８０°以外の角度で向きを変更できるようにしても良い。
【００１９】
歯清掃用の作用部２はアタッチメント３の先端部からアタッチメント３の軸方向と直交する一方向に突出している。作用部２は図３（ａ）に示すようにゴムで形成されて先端に歯の着色汚れを除去する放射状の磨き部７を備えたものや、図３（ｂ）に示すように先端を円錐状にカットしたブラシ８からなり主に歯と歯の間の細かな箇所の着色汚れを除去するものや、図３（ｃ）に示すように円状に配置された多数本のブラシ９からなるもので、本例では図３の（ａ）〜（ｃ）に示す異なる種類の作用部２を備えた三種類のアタッチメント３ａ〜ｃから選択されたアタッチメント３を本体１に着脱自在に取付けられるようにしてあり、これにより任意の作用部２で歯を清掃できるようにしている。なお選択されるアタッチメント３は上記三種類に限定されるものではなく、複数種類であれば良い。また図３（ａ）〜（ｃ）に示す各アタッチメント３ａ〜ｃの基本的な構成は同じであるため、本例では図３（ａ）のアタッチメント３ａについてのみ説明し、他のアタッチメント３ｂ、３ｃについては説明を省略する。
【００２０】
図１に示すように本体１は、アタッチメント３側の端部に開口部１０を有する有底筒状のハウジング１１と、一端部がハウジング１１の開口部１０に取付けられて他端部に上記接続孔部６を形成した筒状のアタッチメントホルダー１２とで構成してあり、ハウジング１１の底部１１ａを下にして載置面に載置することで歯清掃装置は自立できるようになっている。ハウジング１１の外形は軸方向の全長に亘って略同一に形成してあり、またアタッチメントホルダー１２の外形は軸方向において接続部１８側に行く程徐々に径が小さくなるように形成してある。
【００２１】
ハウジング１１の内部には、駆動源となる縦長のモータ１４と、モータ１４の駆動により往復直線運動する駆動部１５と、一端側をモータ１４の図示しない出力軸に連結すると共に他端側を駆動部１５に連結してモータ１４の出力軸の回転運動を駆動部１５の往復直線運動に変換する運動変換部１６と、モータ１４の電源となる縦長の電池１３を設けている。
【００２２】
モータ１４と電池１３はともに本体１の軸方向と平行に配置され、また駆動部１５、運動変換部１６、モータ１４はこの順序で本体１の軸方向にアタッチメント３側から並べて配置されている。また本体１の軸方向と直交する方向のうち、傾斜したアタッチメント３の先端を向けた方向を後側、反対側を前側と定義した場合、電池１３は本体１の後部に配置してあり、モータ１４、運動変換部１６、駆動部１５は電池１３と並べて本体１の前部に配置してある。なお上記運動変換部１６は回転運動を往復直線運動に変換する従来から周知の運動変換機構により構成したものであるので、運動変換部１６の詳細な説明は省略する。
【００２３】
上記ハウジング１１に内装した駆動部１５は、モータ１４の駆動により本体１の軸方向に往復直線運動する往復駆動体１７と、往復駆動体１７からアタッチメント３の軸方向と平行な方向に突出した別体の接続部１８とで構成されている。
【００２４】
往復駆動体１７は金属製で本体１の軸方向に長い軸状に形成され、本体１の軸方向にスライド自在に支持されている。往復駆動体１７の軸方向におけるモータ１４側の一端部は運動変換部１６に連結している。またハウジング１１の開口部１０にはハウジング１１内に水が侵入することを防止する封止部材１９をハウジング１１の開口部１０を塞ぐように設けてあり、前記往復駆動体１７の軸方向におけるモータ１４と反対側の端部は封止部材１９の中央部を貫通してハウジング１１の外側に突出している。往復駆動体１７のハウジング１１から外側に突出した部分は筒状のアタッチメントホルダー１２で囲繞してある。また往復駆動体１７のハウジング１１から突出した部分の突端部には接続部１８の基端部に嵌合される嵌合部２０を形成している。
【００２５】
接続部１８はエンジニアリングプラスチック等の機械的強度に優れた合成樹脂で形成されている。接続部１８の往復駆動体１７側の端面には本体１の軸方向に伸びる穴部を形成してあり、この穴部からなる被嵌合部２１に上記往復駆動体１７の嵌合部２０を挿入嵌合することで接続部１８は往復駆動体１７に連結されている。嵌合部２０は図４のように本体１の軸方向で見た断面形状が略Ｄ字状の非円形をしており、また被嵌合部２１の断面形状も嵌合部２０の外面に合致する略Ｄ字状の非円形状をしており、これにより接続部１８は往復駆動体１７の先端部に本体１の軸回り方向に回動不能に取り付けられている。
【００２６】
また図１等に示すように接続部１８の先端は筒状のアタッチメントホルダー１２のアタッチメント３側の一端開口（即ち接続孔部６の開口）に臨んでいる。接続部１８の先端部は外周面に周方向に亘って環状突部２３を形成した円柱状部となっており、この円柱状部で後述の伝達機構部２５の被連結部２６に着脱自在に連結される連結部２４を構成している。
【００２７】
一方、図１や図５に示すアタッチメント３の柄部４の内部には一端側が作用部２に連結されると共に他端側がアタッチメント３を本体１に取付けた時に駆動部１５に着脱自在に連結されて、駆動部１５の往復直線運動を作用部２の往復回動運動に変換する伝達機構部２５を設けている。伝達機構部２５は、アタッチメント３の軸方向に長いスライドシャフト２７と、柄部４の先端部に設けた回転台２８とを有している。
【００２８】
図１の状態でスライドシャフト２７は筒状の柄部４の内面との間にわずかな隙間を有して柄部４内に収納してあり、後述の鍔状部２９及び被連結部２６を含めて全て合成樹脂により一体に形成してあって若干の弾性を有している。スライドシャフト２７の軸方向の中途には鍔状部２９を形成してあり、またスライドシャフト２７の本体１と反対側の端部は回転台２８の偏心位置に取付けている。またハウジング１１にはスライドシャフト２７の鍔状部２９をアタッチメント３の軸方向における駆動部１５側（本体１側）の方向にばね力を付与するばね３８を内装しており、このばね３８によりスライドシャフト２７ががたついて異音を発生することを防止している。
【００２９】
またスライドシャフト２７の鍔状部２９よりも本体１側に位置する端部にはラッパ筒状の被連結部２６を形成している。被連結部２６は、本体１と反対側の半部がアタッチメント３の軸方向において径が同じである直筒部３０となり、本体１側の半部がアタッチメント３の軸方向において本体１と反対側に行く程徐々に径が小さくなるガイド筒部３１となっており、ガイド筒部３１の内周面には周方向に亘って周溝３２を形成している。
【００３０】
上記により被連結部２６の直筒部３０内に駆動部１５の円柱状の連結部２４を嵌め込み挿入すると共に周溝３２に環状突部２３を嵌合することでスライドシャフト２７を駆動部１５に着脱自在に連結可能となっている。この場合、連結部２４と被連結部２６の連結は、被連結部２６の断面円形の孔部に連結部２４の断面円形の突部を嵌め込んで行われるので、スライドシャフト２７の被連結部２６は連結部２４の軸方向においてスライドシャフト２７の連結部２４に対する回動角度がどのような回動角度でも駆動部１５の連結部２４に取付けられる。またこの場合、連結部２４を被連結部２６に挿入する際には、連結部２４を徐々に縮径するガイド筒部３１により直筒部３０へとスムーズにガイドできる。
【００３１】
図１に示すように回転台２８の中心はアタッチメント３の内面に設けたアタッチメント３の軸方向と直交する回転軸３３に枢支してあり、この回転台２８に作用部２を取付けている。回転台２８の外周面には回転台２８の周方向に長い保持ピン挿入溝３４を形成してあり、該保持ピン挿入溝３４にアタッチメント３の内面からアタッチメント３の軸方向に突設した保持ピン３５を摺動自在に挿入することで、回転台２８が回転軸３３の軸方向に移動して抜けるのを防止している。
【００３２】
そしてアタッチメント３の接続筒部５を本体１の接続孔部６に接続すると共に、スライドシャフト２７の被連結部２６に本体１に内装した駆動部１５の連結部２４を連結して、アタッチメント３を本体１に取付けることで、モータ１４の駆動力は、運動変換部１６、駆動部１５、スライドシャフト２７、回転台２８を順に介して作用部２に伝達されるようになる。
【００３３】
アタッチメント３を本体１に取付けた状態においてモータ１４を駆動すると、モータ１４の出力軸に運動変換部１６を介して連結された駆動部１５が図１の矢印イに示す本体１の軸方向に往復直線運動する。これにより駆動部１５に連結したスライドシャフト２７は、回転台２８に取付けられた端部がアタッチメント３の軸方向と交差する方向への移動が規制されつつ、鍔状部２９がアタッチメント３の軸方向に伸びる柄部４の内面からなるガイド面に沿ってアタッチメント３の軸方向に往復動することとなり、これにより弾性を有するスライドシャフト２７が全体が撓み弾性変形しつつ図１の矢印ロに示すアタッチメント３の軸方向と略平行な方向に往復動する。そしてこのように往復動するスライドシャフト２７により駆動部１５の本体１の軸方向の往復直線運動がアタッチメント３の軸方向の往復直線運動に変換され、これにより回転台２８及び作用部２が回転軸３３の周方向において図１（ｂ）のαに示す所定回動角度の範囲内で往復回動する。
【００３４】
また図６に示すようにハウジング１１の外面にはモータ１４の出力軸の回転速度を制御する操作スイッチ３６を設けている。操作スイッチ３６は回動自在となったダイヤル式の操作スイッチ３６であって、該操作スイッチ３６を回動することで、モータ１４をＯＦＦにして作用部２を停止した状態、作用部２が往復回動する速度を遅くした状態、作用部２が往復回動する速度を速くした状態、の３段階に切り替えられるようになっている。
【００３５】
図６の操作スイッチ３６はハウジング１１の一方の側面に設けられている。また操作スイッチ３６の外周面の周方向の２箇所には操作スイッチ３６を指で回動操作するための操作部３７を設けてあり、この２つの操作部３７は操作スイッチ３６の前後対向位置に配置されている。アタッチメント３の向きを変更した場合には通常本体１を逆側から握るのだが、本例では既述したように操作スイッチ３６の外周面の周方向の複数箇所に操作スイッチ３６を回動操作するための操作部３７を設けているので、本体１の握り方を変更した際にも指に近い操作部３７を操作して操作スイッチ３６を容易に操作できる。
【００３６】
なお本例では操作スイッチ３６によりモータ１４をＯＦＦにした状態を含めてモータ１４の出力軸の回転速度を３段階変更できるようにしたが、操作スイッチ３６によりモータ１４のＯＮ／ＯＦＦのみを切り替え可能としても良いし、またモータ１４の出力軸の回転速度を４段階以上に変更できるようにしても良く、即ち操作スイッチ３６はモータ１４をＯＦＦにした状態を含めてモータ１４の出力軸の回転速度を複数段階切り替え可能とするものであれば良い。
【００３７】
また図６では操作スイッチ３６の外周面の周方向の２箇所に操作部３７を設けたが、図７のように操作部３７を操作スイッチ３６の周方向の４箇所に等間隔で設けてあっても良く、操作部３７は操作スイッチ３６の周方向に複数箇所設けてあれば良い。更に図８のようにハウジング１１の両側面の夫々に回動自在に操作スイッチ３６を設け、各操作スイッチ３６の外周面の周方向の複数箇所に操作部３７を設けると共に、両操作スイッチ３６を操作部３９で一体に接続し、操作部３９を指で操作して操作スイッチ３６を回動操作できるようにしても良い。
【００３８】
上記歯清掃装置を用いて歯を清掃する場合には、例えば図３（ａ）〜（ｃ）に示すアタッチメント３のうち所望の作用部２を有するアタッチメント３を選択し、該アタッチメント３を前述のようにアタッチメント３の向きを任意の向きとした状態でアタッチメント３の接続筒部５を本体１の接続孔部６に接続すると共に、スライドシャフト２７の被連結部２６に本体１に内装した駆動部１５の連結部２４を連結して、アタッチメント３を本体１に取付ける。そして本体１を把持して操作スイッチ３６の操作部３７を指で操作してモータ１４をＯＮにし、これにより作用部２を回転軸３３回りに往復回動させ、この往復回動する作用部２を歯の面に当てて清掃を行う。この場合、作用部２は往復回動するものであるので、作用部２を狙った位置に容易に当て続けることができる。
【００３９】
またアタッチメント３の向きを変更して作用部２を歯に対して当て易い向きにできる。アタッチメント３の向きを変更する場合は、本体１からアタッチメント３を取り外して作用部２を所望の向きに向けた後、本体１に取付ける。ここで本発明の歯清掃装置の駆動部１５は本体１の軸方向に往復直線運動するものであって、該駆動部１５の駆動力を伝達機構部２５に伝達するものであるので、本例のように駆動部１５と伝達機構部２５の連結を断面円形の孔部に断面円形の部位を嵌め込むことで行うことができて、尚且つこの連結は駆動部１５に対して伝達機構部２５を回動不能にするものではないにもかかわらず、駆動部１５の駆動力を伝達機構部２５に効率良く伝達することができる。またこれによりモータ１４がどのようなタイミングでＯＦＦにされたとしても、伝達機構部２５が着脱自在に連結される駆動部１５の軸回り方向における向きを同じ向きとすることができ、アタッチメント３を向きを変更して本体１に取付ける際には、駆動部１５の向きを気にすることなく作用部２を所望の向きに向けたアタッチメント３を本体１に取付けるだけで良く、アタッチメント３の付替えが容易になる。
【００４０】
また本例では駆動部１５を、モータ１４の駆動により本体１の軸方向に往復直線運動する往復駆動体１７と、往復駆動体１７のアタッチメント３側の端部からアタッチメント３の軸方向と平行な方向に突出した接続部１８とで構成したので、駆動部１５がアタッチメント３の軸方向に往復運動するものと比較して、把持部となる本体１の径を小さくできて握り易くできる。またこの場合、伝達機構部２５に着脱自在に連結される接続部１８の軸方向はアタッチメント３の軸方向と平行であるので、アタッチメント３を本体１に取付ける際のアタッチメント３の移動方向をアタッチメント３の取付け向きに関係なくアタッチメント３の軸方向である同一の方向とすることができ、これによりアタッチメント３の向きをモータ１４のＯＦＦのタイミングに関わらず好みの方向に変更でき、尚且つ連結部２４と被連結部２６の連結を本例のように簡単な構成にできる。
【００４１】
更に上記接続部１８は合成樹脂製であるので、接続部１８に歯磨き時や水洗いによる清掃時等に水や歯磨き剤水溶液がかかったりしても腐食が起こらず、清潔にできる。またこの往復駆動体１７と別体の接続部１８は往復駆動体１７のアタッチメント３側の端部に本体１の軸回り方向に回動不能に取り付けてあるので、本体１を落として駆動部１５に衝撃が加わる等した際に往復駆動体１７に対して接続部１８の向きが変わることを防止できる。
【００４２】
なお本例ではモータ１４を出力軸が回転する回転型モータ１４としたが、図９のようにモータ１４をリニアモータとしても良い。図２の例ではモータ１４をアタッチメント３の軸線の延長線上にアタッチメント３の軸方向と平行に配置し、モータ１４の往復直線運動する出力軸を駆動部１５としている。このようにモータ１４をリニアモータとすることでモータ１４を回転型モータとした場合と比較して、運動変換部１６を設ける必要がなくて本体１内の機構を簡単にできる。
【図面の簡単な説明】
【００４３】
【図１】本発明の実施の形態の一例を示すものであり、（ａ）は歯清掃装置の側断面図、（ｂ）は歯清掃装置のアタッチメント側の正面図である。
【図２】同上のアタッチメント及び作用部の向きをアタッチメントの軸回り方向に１８０°変更した歯清掃装置の側断面図である。
【図３】（ａ）〜（ｃ）は同上の本体に取付けられる異なる作用部を有するアタッチメントの側断面図である。
【図４】（ａ）は往復駆動体と接続部の連結箇所を示す側断面図であり、（ｂ）は（ａ）のＡ―Ａ断面図である。
【図５】同上の歯清掃装置のアタッチメン側の正面断面図である。
【図６】同上の歯清掃装置の側面図である。
【図７】他例の歯清掃装置の側面図である。
【図８】更に他例の歯清掃装置を示し、（ａ）は右側面図、（ｂ）は正面図、（ｃ）は左側面図である
【図９】更に他例の歯清掃装置を示し、（ａ）は側断面図、（ｂ）はアタッチメント側の正面図である。
【符号の説明】
【００４４】
１  本体
２  作用部
３  アタッチメント
１４  モータ
１５  駆動部
１７  往復駆動体
１８  接続部
２５  伝達機構部
３６  操作スイッチ
３７  操作部
【図１】
0004720388.tif 000002
【図２】
0004720388.tif 000003
【図３】
0004720388.tif 000004
【図４】
0004720388.tif 000005
【図５】
0004720388.tif 000006
【図６】
0004720388.tif 000007
【図７】
0004720388.tif 000008
【図８】
0004720388.tif 000009
【図９】
0004720388.tif 000010